(57)【要約】      （修正有）【課題】複数の見出し語の辞書情報を分かり易く並べて表示する。【解決手段】電子辞書１は、見出し語と、当該見出し語の説明情報とを対応付けた辞書情報が複数記憶されている辞書データベース８２０と、ユーザ操作に基づいて、辞書データベース８２０に記憶された何れかの辞書情報を指定辞書情報として指定するＣＰＵ２０とを備える。ＣＰＵ２０は、指定辞書情報の表示レイアウトをユーザ操作に基づいて設定し、設定された表示レイアウトで指定辞書情報をプロジェクター５００に表示させる。【選択図】図２
2015028678.tif 000002
【特許請求の範囲】
【請求項１】
見出し語と、当該見出し語の説明情報とを対応付けた辞書情報が複数記憶されている辞書記憶手段と、
ユーザ操作に基づいて、前記辞書記憶手段に記憶された何れかの辞書情報を指定辞書情報として指定する辞書情報指定手段と、
前記辞書情報指定手段により指定された複数の前記指定辞書情報の表示レイアウトをユーザ操作に基づいて設定する表示レイアウト設定手段と、
前記表示レイアウト設定手段により設定された表示レイアウトで前記指定辞書情報を外部表示装置に表示させる表示制御手段と、
を備えることを特徴とする辞書機能を備えた電子機器。
【請求項２】
前記表示レイアウト設定手段は、
ユーザ操作に基づいて、各指定辞書情報の表示のオン／オフを切り替えることを特徴とする請求項１記載の辞書機能を備えた電子機器。
【請求項３】
前記表示レイアウト設定手段は、
ユーザ操作に基づいて、複数の前記指定辞書情報の表示位置を変更することを特徴とする請求項１または２記載の辞書機能を備えた電子機器。
【請求項４】
前記表示レイアウト設定手段は、
ユーザ操作に基づいて、複数の前記指定辞書情報の表示サイズを変更することを特徴とする請求項１〜３の何れか一項に記載の辞書機能を備えた電子機器。
【請求項５】
表示手段と、
ユーザ操作に基づいて検索文字列を入力する入力手段と、
前記検索文字列に対応する見出し語の辞書情報を前記辞書記憶手段から読み出して前記表示手段に表示させる検索手段と、
前記検索手段により検索された見出し語を検索履歴として記憶する検索履歴記憶手段と
を備え、
前記辞書情報指定手段は、
前記検索履歴記憶手段に記憶された見出し語に対応する辞書情報を前記指定辞書情報として指定することを特徴とする請求項１〜４の何れか一項に記載の辞書機能を備えた電子機器。
【請求項６】
前記検索手段により表示された辞書情報のテキストに含まれる単語のうち、当該辞書情報の見出し語に対する同義語または対義語を、ユーザ操作に基づきジャンプ対象単語として指定する単語指定手段と、
前記ジャンプ対象単語に対応する見出し語の辞書情報を前記辞書記憶手段から読み出し、この辞書情報と、当該ジャンプ対象単語の指定時に表示されていた辞書情報とを前記外部表示装置に並べて表示させるジャンプ検索手段と、
を備え、
前記ジャンプ検索手段は、
前記検索手段により表示された説明情報の見出し語に対する同義語が前記ジャンプ対象単語として指定された場合と、
前記検索手段により表示された説明情報の見出し語に対する対義語が前記ジャンプ対象単語として指定された場合とで、２つの辞書情報の表示レイアウトを変更することを特徴とする請求項５記載の辞書機能を備えた電子機器。
【請求項７】
見出し語と、当該見出し語の説明情報とを対応付けた辞書情報が複数記憶されている辞書記憶手段を備えるコンピュータに、
ユーザ操作に基づいて、前記辞書記憶手段に記憶された何れかの辞書情報を指定辞書情報として指定する辞書情報指定機能と、
前記辞書情報指定機能により指定された複数の前記指定辞書情報の表示レイアウトをユーザ操作に基づいて設定する表示レイアウト設定機能と、
前記表示レイアウト設定機能により設定された表示レイアウトで前記指定辞書情報を外部表示装置に表示させる表示制御機能と、
を実現させることを特徴とする辞書検索プログラム。
【請求項８】
互いに接続された端末装置とサーバ装置とを備える辞書検索システムであって、
前記サーバ装置は、
見出し語と、当該見出し語の説明情報とを対応付けた辞書情報が複数記憶されている辞書記憶手段を備え、
前記端末装置は、
ユーザ操作に基づいて、前記辞書記憶手段に記憶された何れかの辞書情報を指定辞書情報として指定する辞書情報指定手段と、
前記辞書情報指定手段により指定された複数の前記指定辞書情報の表示レイアウトをユーザ操作に基づいて設定する表示レイアウト設定手段と、
前記表示レイアウト設定手段により設定された表示レイアウトで前記指定辞書情報を外部表示装置に表示させる表示制御手段と、
を備えることを特徴とする辞書検索システム。
【発明の詳細な説明】
【技術分野】
【０００１】
本発明は、辞書機能を備えた電子機器、辞書検索プログラム、辞書検索システムに関する。
【背景技術】
【０００２】
従来、教育現場においては、パソコンの表示内容をプロジェクターで表示して授業が行われる場合が多くなっている。
【０００３】
そのため、近年では、電子辞書などの辞書機能を有する電子機器についても、プロジェクターで表示させることが提案されている（例えば特許文献１参照）。この技術によれば、見出し語の辞書情報（見出し語と、その説明情報とを対応付けた情報）をプロジェクターで表示させ、生徒全員に内容を把握させることができる。
【０００４】
ところで、プロジェクターの技術分野においては、表示領域を分割して各分割領域に別々の内容を表示する技術が提案されている（例えば特許文献２参照）。
【先行技術文献】
【特許文献】
【０００５】
【特許文献１】特開２０１１−２５３２４９号公報
【特許文献２】特開２００６−３３０４６８号公報
【発明の概要】
【発明が解決しようとする課題】
【０００６】
しかしながら、従来の技術では、複数の見出し語の辞書情報を分かり易く並べて表示することはできない。
【０００７】
本発明の課題は、複数の見出し語の辞書情報を分かり易く並べて表示することのできる辞書機能を備えた電子機器、辞書検索プログラム、辞書検索システムを提供することである。
【課題を解決するための手段】
【０００８】
請求項１記載の発明は、辞書機能を備えた電子機器において、
見出し語と、当該見出し語の説明情報とを対応付けた辞書情報が複数記憶されている辞書記憶手段と、
ユーザ操作に基づいて、前記辞書記憶手段に記憶された何れかの辞書情報を指定辞書情報として指定する辞書情報指定手段と、
前記辞書情報指定手段により指定された複数の前記指定辞書情報の表示レイアウトをユーザ操作に基づいて設定する表示レイアウト設定手段と、
前記表示レイアウト設定手段により設定された表示レイアウトで前記指定辞書情報を外部表示装置に表示させる表示制御手段と、
を備えることを特徴とする。
【発明の効果】
【０００９】
本発明によれば、複数の見出し語の辞書情報を分かり易く並べて表示することができる。
【図面の簡単な説明】
【００１０】
【図１】電子辞書の概略構成を示す斜視図である。
【図２】電子辞書の機能構成を示すブロック図である。
【図３】辞書データベースにおける見出し語と、その重要度との対応を示す図である。
【図４】辞書検索処理の流れを示すフローチャートである。
【図５】メインディスプレイの表示内容を示す図である。
【図６】メインディスプレイの表示内容を示す図である。
【図７】辞書検索システムの機能構成を示すブロック図である。
【発明を実施するための形態】
【００１１】
以下、添付図面を参照して、本発明に係る辞書機能を備えた電子機器を電子辞書に適用した場合の実施形態の一例を詳細に説明する。ただし、発明の範囲は、図示例に限定されない。
【００１２】
［１．１  外観構成］
図１は、電子辞書１とプロジェクター５００が接続された概略構成を示す図である。
この図に示すように、電子辞書１は、メインディスプレイ１０、サブディスプレイ１１及びキー群２を備えている。
【００１３】
メインディスプレイ１０及びサブディスプレイ１１は、ユーザによるキー群２の操作に応じた文字や符号等、各種データを表示する部分であり、ＬＣＤ（Liquid Crystal Display）やＥＬＤ（Electronic Luminescence Display）等によって構成されている。なお、本実施の形態におけるメインディスプレイ１０及びサブディスプレイ１１は、いわゆるタッチパネル１１０（図２参照）と一体的に形成されており、手書き入力等の操作を受け付け可能となっている。
【００１４】
キー群２は、ユーザから電子辞書１を操作するための操作を受ける各種キーを有している。
以上の電子辞書１は、プロジェクター５００に接続されている。このプロジェクター５００は、表示部４０の表示内容をスクリーン５０１に投影して表示するようになっている。
【００１５】
［１．２  内部構成］
続いて、電子辞書１の内部構成について説明する。図２は、電子辞書１の内部構成を示すブロック図である。
【００１６】
この図に示すように、電子辞書１は、表示部４０、入力部３０、通信部５０、ＣＰＵ（Central Processing Unit）２０、記憶部８０を備え、各部はバスで相互にデータ通信可能に接続されて構成されている。
【００１７】
表示部４０は、上述のメインディスプレイ１０及びサブディスプレイ１１を備えており、ＣＰＵ２０から入力される表示信号に基づいて各種情報をメインディスプレイ１０やサブディスプレイ１１に表示するようになっている。
【００１８】
入力部３０は、上述のキー群２やタッチパネル１１０を備えており、押下されたキーやタッチパネル１１０の位置に対応する信号をＣＰＵ２０に出力するようになっている。
【００１９】
通信部５０は、プロジェクター５００に接続可能となっており、接続されたプロジェクター５００との間で通信を行うようになっている。
【００２０】
ＣＰＵ２０は、入力される指示に応じて所定のプログラムに基づいた処理を実行し、各機能部への指示やデータの転送等を行い、電子辞書１を統括的に制御するようになっている。具体的には、ＣＰＵ２０は、入力部３０から入力される操作信号等に応じて記憶部８０に格納された各種プログラムを読み出し、当該プログラムに従って処理を実行する。そして、ＣＰＵ２０は、処理結果を記憶部８０に一時保存するとともに、当該処理結果を表示部４０に適宜出力させる。
【００２１】
記憶部８０は、電子辞書１の各種機能を実現するためのプログラムやデータを記憶するとともに、ＣＰＵ２０の作業領域として機能するメモリである。本実施の形態においては、記憶部８０は、本発明に係る辞書検索プログラム８１と、コンテンツ群８２と、ヒストリテーブル８４０等とを記憶している。
【００２２】
辞書検索プログラム８１は、後述の辞書検索処理（図３参照）をＣＰＵ２０に実行させるためのプログラムである。
【００２３】
コンテンツ群８２は、少なくとも１種類の辞書データベース８２０を有している。
辞書データベース８２０には、見出し語と、この見出し語の説明情報のテキストとが対応付けられた辞書情報が複数格納されている。この辞書データベース８２０では、図３に示すように、各見出し語に対し、その重要度「１」〜「３」が対応付けられている。なお、本実施の形態においては、重要度が高いほど、その値が小さくなっている。
【００２４】
ヒストリテーブル８４０は、辞書データベース８２０の検索履歴を記憶している。具体的には、ヒストリテーブル８４０には、辞書データベース８２０の辞書情報が読み出されて表示された場合に、その辞書情報の見出し語がヒストリ見出し語として蓄積記憶されるようになっている。
【００２５】
［１．３  動作］
続いて、電子辞書１の動作について、図面を参照しつつ説明する。
【００２６】
［１．３．１  辞書検索処理］
図４は、プロジェクター５００に接続した状態で電子辞書１のＣＰＵ２０が辞書検索プログラム８１を読み出して実行する辞書検索処理の流れを示すフローチャートである。
【００２７】
この図に示すように、辞書検索処理においてまずＣＰＵ２０は、プロジェクター５００の表示レイアウトを設定する旨のユーザ操作が行われたかを判定する（ステップＳ１）。表示レイアウトを設定する旨のユーザ操作が行われない場合（ステップＳ１；Ｎｏ）には、ＣＰＵ２０は、ユーザからの検索文字列の入力を待って辞書検索を実行する。つまり、少なくとも１つの文字からなる検索文字列を、ユーザ操作に基づいて入力する（ステップＳ３）。
【００２８】
次に、ＣＰＵ２０は、検索文字列に対応する見出し語を辞書データベース８２０内で検索し（ステップＳ５）、検出された見出し語の辞書情報を読み出してメインディスプレイ１０に表示させる（ステップＳ７）。これにより、例えば図５（ａ）に示すような内容がメインディスプレイ１０に表示される。なお、この図５（ａ）では、「単語Ａ」の辞書情報が表示された状態が図示されている。また、本実施の形態においては、このとき表示される辞書情報には、見出し語の同義語や対義語が含まれている。
【００２９】
次に、ＣＰＵ２０は、検索結果をプロジェクター５００に表示させる旨のユーザ操作が行われるか否かを判定し（ステップＳ９）、行われないと判定した場合（ステップＳ９；Ｎｏ）には上述のステップＳ３に移行する。
【００３０】
一方、このステップＳ９において検索結果をプロジェクター５００に表示させる旨のユーザ操作が行われたと判定した場合（ステップＳ９；Ｙｅｓ）には、ＣＰＵ２０は、表示されている見出し語の同義語に対してジャンプ検索する旨のユーザ操作（本実施の形態においては、表示されている辞書情報のテキストに含まれる単語のうち、見出し語に対する同義語をジャンプ対象単語として指定し、ジャンプ検索を実行する旨のユーザ操作）が行われるか否かを判定する（ステップＳ１１）。
【００３１】
そして、ステップＳ１１において見出し語の同義語に対してジャンプ検索する旨のユーザ操作が行われたと判定した場合（ステップＳ１１；Ｙｅｓ）には、ＣＰＵ２０は、ジャンプ対象単語（ここでは同義語の単語）に対応する見出し語の辞書情報を辞書データベース８２０から読み出し、この辞書情報（ジャンプ先の辞書情報）と、ステップＳ７で表示されていた辞書情報（ジャンプ元の辞書情報）とを左右に並べてプロジェクター５００に表示させ（ステップＳ１３）、後述のステップＳ２１に移行する。これにより、例えば図５（ｂ）に示すような内容がプロジェクター５００によってスクリーン５０１に表示される。なお、図５（ｂ）では、図５（ａ）に示した状態から、「単語Ａ」の辞書情報に含まれる同義語の「単語Ｂ」がジャンプ対象単語として指定され、「単語Ａ」の辞書情報と、「単語Ｂ」の辞書情報とが左右に並んで表示された状態が図示されている。
【００３２】
一方、ステップＳ１１において見出し語の同義語に対してジャンプ検索する旨のユーザ操作が行われないと判定した場合（ステップＳ１１；Ｎｏ）には、ＣＰＵ２０は、表示されている見出し語の対義語に対してジャンプ検索する旨のユーザ操作（本実施の形態においては、表示されている辞書情報のテキストに含まれる単語のうち、見出し語に対する対義語をジャンプ対象単語として指定し、ジャンプ検索を実行する旨のユーザ操作）が行われるか否かを判定する（ステップＳ１５）。
【００３３】
そして、ステップＳ１５において見出し語の対義語に対してジャンプ検索する旨のユーザ操作が行われたと判定した場合（ステップＳ１５；Ｙｅｓ）には、ＣＰＵ２０は、ジャンプ対象単語（ここでは対義語の単語）に対応する見出し語の辞書情報を辞書データベース８２０から読み出し、この辞書情報（ジャンプ先の辞書情報）と、ステップＳ７で表示されていた辞書情報（ジャンプ元の辞書情報）とを上下に並べてプロジェクター５００に表示させ（ステップＳ１７）、後述のステップＳ２１に移行する。
【００３４】
一方、ステップＳ１５において見出し語の対義語に対してジャンプ検索する旨のユーザ操作が行われないと判定した場合（ステップＳ１５；Ｎｏ）には、ＣＰＵ２０は、ステップＳ７で表示されていた辞書情報をプロジェクター５００に表示させる（ステップＳ１９）。
【００３５】
次に、ＣＰＵ２０は、ステップＳ５で検索された見出し語をヒストリテーブル８４０に蓄積記憶させ（ステップＳ２１）、上述のステップＳ１に移行する。なお、このステップＳ２１においてＣＰＵ２０は、更にステップＳ１３、Ｓ１７で検索された見出し語をヒストリテーブル８４０に蓄積記憶させても良い。
【００３６】
また、ステップＳ１においてプロジェクター５００の表示レイアウトを設定する旨のユーザ操作が行われたと判定した場合（ステップＳ１；Ｙｅｓ）には、ＣＰＵ２０は、プロジェクター５００の表示レイアウトを設定するための表示設定画面をメインディスプレイ１０に表示させる（ステップＳ３１）。この表示設定画面は、図６（ａ）に示すように、表示領域の右端部にオン／オフアイコンＩ１や位置変更アイコンＩ２、サイズ変更アイコンＩ３、書き込みアイコンＩ４を有している。なお、この図６（ａ）では、辞書情報を表示するための表示枠Ｉ１０が複数図示されているが、これらの表示枠Ｉ１０は後述のステップＳ３５によって表示される。
【００３７】
ここで、オン／オフアイコンＩ１は、表示設定画面に表示される複数の表示枠Ｉ１０のうち、ユーザ操作で選択される表示枠Ｉ１０の表示／非表示を切り替えるためのアイコンである。また、位置変更アイコンＩ２は、ユーザ操作で選択される表示枠Ｉ１０の位置を変更するためのアイコンである。また、サイズ変更アイコンＩ３は、ユーザ操作で選択される表示枠Ｉ１０のサイズを変更するためのアイコンである。また、書き込みアイコンＩ４は、表示設定画面内に手書き文字を入力するためのアイコンである。
【００３８】
そして、表示設定画面が表示されたら、次にＣＰＵ２０は、辞書データベース８２０における複数の辞書情報（見出し語と説明情報とを対応付けた情報）のうち、ヒストリテーブル８４０に記憶されている見出し語についての複数の辞書情報（ユーザ操作に基づいて辞書検索された複数の辞書情報）を指定辞書情報として指定して、各指定辞書情報を辞書データベース８２０から読み出す（ステップＳ３３）。
【００３９】
次に、ＣＰＵ２０は、ステップＳ３３で読み出した指定辞書情報と同数の表示枠Ｉ１０を表示設定画面内に並べて表示させ、各指定辞書情報を各表示枠Ｉ１０内に表示させる（ステップＳ３５）。より詳細には、このときＣＰＵ２０は、ヒストリテーブル８４０における見出し語の登録順に指定辞書情報が並ぶように各指定辞書情報の表示位置（当該指定辞書情報に対応する表示枠Ｉ１０の位置）を設定する。また、このときＣＰＵ２０は、各見出し語の重要度を辞書データベース８２０から読み出し、見出し語の重要度が高いほど表示領域が大きくなるように各指定辞書情報の表示サイズ（当該指定辞書情報に対応する表示枠Ｉ１０の表示サイズ）を設定する。そして、ＣＰＵ２０は、位置や表示サイズの設定された表示枠Ｉ１０内に、指定辞書情報を表示させる。これにより、例えば図６（ａ）に示すような内容がメインディスプレイ１０に表示される。
【００４０】
次に、ＣＰＵ２０は、オン／オフアイコンＩ１に対してタッチ操作が行われるか否かを判定する（ステップＳ４１）。
【００４１】
このステップＳ４１においてオン／オフアイコンＩ１に対してタッチ操作が行われたと判定した場合（ステップＳ４１；Ｙｅｓ）には、ＣＰＵ２０は、既に非表示に設定されている表示枠Ｉ１０と、その表示枠Ｉ１０内の指定辞書情報とを淡色で表示させつつ、ユーザにより選択操作の行われる表示枠Ｉ１０と、当該表示枠Ｉ１０内の指定辞書情報との表示／非表示を切り替える（ステップＳ４３）。そして、ＣＰＵ２０は、位置変更アイコンＩ２やサイズ変更アイコンＩ３、書き込みアイコンＩ４へのタッチ操作や、その他のユーザ操作に応じて表示／非表示の切り替え内容を確定させ、淡色で表示されていた表示枠Ｉ１０と、その表示枠Ｉ１０内の指定辞書情報とを非表示にして、上述のステップＳ４１に移行する。これにより、例えば図６（ｂ）に示すような内容がメインディスプレイ１０に表示され、後述のステップＳ６３でのプロジェクター５００による指定辞書情報の表示レイアウトが変更される。なお、この図６（ｂ）では、図６（ａ）に示した状態からオン／オフアイコンＩ１に対してタッチ操作が行われ、「単語Ｂ」、「単語Ｆ」の表示枠Ｉ１０が非表示に設定された状態が図示されており、説明のため、非表示の表示枠Ｉ１０を破線で図示している。
【００４２】
一方、ステップＳ４１においてオン／オフアイコンＩ１に対してタッチ操作が行われないと判定した場合（ステップＳ４１；Ｎｏ）には、ＣＰＵ２０は、位置変更アイコンＩ２に対してタッチ操作が行われるか否かを判定する（ステップＳ４５）。
【００４３】
このステップＳ４５において位置変更アイコンＩ２に対してタッチ操作が行われたと判定した場合（ステップＳ４５；Ｙｅｓ）には、ＣＰＵ２０は、ユーザにより選択・移動操作の行われる表示枠Ｉ１０の表示位置を変更する（ステップＳ４７）。そして、ＣＰＵ２０は、オン／オフアイコンＩ１やサイズ変更アイコンＩ３、書き込みアイコンＩ４へのタッチ操作や、その他のユーザ操作に応じて表示位置の変更内容を確定させ、上述のステップＳ４１に移行する。これにより、例えば図６（ｃ）に示すような内容がメインディスプレイ１０に表示され、後述のステップＳ６３でのプロジェクター５００による指定辞書情報の表示レイアウトが変更される。
【００４４】
一方、ステップＳ４５において位置変更アイコンＩ２に対してタッチ操作が行われないと判定した場合（ステップＳ４５；Ｎｏ）には、ＣＰＵ２０は、サイズ変更アイコンＩ３に対してタッチ操作が行われるか否かを判定する（ステップＳ４９）。
【００４５】
このステップＳ４９においてサイズ変更アイコンＩ３に対してタッチ操作が行われたと判定した場合（ステップＳ４９；Ｙｅｓ）には、ＣＰＵ２０は、ユーザにより選択・サイズ変更操作の行われる表示枠Ｉ１０の表示サイズを変更する（ステップＳ５１）。そして、ＣＰＵ２０は、オン／オフアイコンＩ１や位置変更アイコンＩ２、書き込みアイコンＩ４へのタッチ操作や、その他のユーザ操作に応じて表示サイズの変更内容を確定させ、上述のステップＳ４１に移行する。これにより、例えば図６（ｃ）に示すような内容がメインディスプレイ１０に表示され、後述のステップＳ６３でのプロジェクター５００による指定辞書情報の表示レイアウトが変更される。
【００４６】
一方、ステップＳ４９においてサイズ変更アイコンＩ３に対してタッチ操作が行われないと判定した場合（ステップＳ４９；Ｎｏ）には、ＣＰＵ２０は、書き込みアイコンＩ４に対してタッチ操作が行われるか否かを判定する（ステップＳ５３）。
【００４７】
このステップＳ５３において書き込みアイコンＩ４に対してタッチ操作が行われたと判定した場合（ステップＳ５３；Ｙｅｓ）には、ＣＰＵ２０は、ユーザにより手書き入力された内容を表示設定画面に表示させる（ステップＳ５５）。そして、ＣＰＵ２０は、オン／オフアイコンＩ１や位置変更アイコンＩ２、サイズ変更アイコンＩ３へのタッチ操作や、その他のユーザ操作に応じて手書き入力の内容を確定させ、上述のステップＳ４１に移行する。これにより、例えば図６（ｄ）に示すような内容がメインディスプレイ１０に表示される。なお、この図６（ｄ）では、図６（ｃ）に示した状態から「重要！」などが手書き入力された状態が図示されている。
【００４８】
一方、ステップＳ５３において書き込みアイコンＩ４に対してタッチ操作が行われないと判定した場合（ステップＳ５３；Ｎｏ）には、ＣＰＵ２０は、表示枠Ｉ１０内の指定辞書情報に対してタッチ操作が行われるか否かを判定する（ステップＳ５７）。
【００４９】
このステップＳ５７において指定辞書情報に対してタッチ操作が行われたと判定した場合（ステップＳ５７；Ｙｅｓ）には、ＣＰＵ２０は、タッチ操作の行われた指定辞書情報の概要を辞書データベース８２０から読み出してサブディスプレイ１１に表示させ（ステップＳ５９）、上述のステップＳ４１に移行する。
【００５０】
一方、ステップＳ５７において指定辞書情報に対してタッチ操作が行われないと判定した場合（ステップＳ５７；Ｎｏ）には、ＣＰＵ２０は、メインディスプレイ１０の表示内容をプロジェクター５００に表示させる旨のユーザ操作が行われるか否かを判定し（ステップＳ６１）、行われないと判定した場合（ステップＳ６１；Ｎｏ）には他の処理へ移行する。
【００５１】
また、ステップＳ６１においてメインディスプレイ１０の表示内容をプロジェクター５００に表示させる旨のユーザ操作が行われたと判定した場合（ステップＳ６１；Ｙｅｓ）には、ＣＰＵ２０は、メインディスプレイ１０の表示内容をプロジェクター５００に表示させ（ステップＳ６３）、辞書検索処理を終了する。これにより、辞書データベース８２０から複数の指定辞書情報が読み出され、プロジェクター５００によって並べて表示されることとなる。
【００５２】
以上の電子辞書１によれば、図４のステップＳ４１〜Ｓ５１、Ｓ６３や、図６等に示したように、ユーザ操作に基づいてプロジェクター５００における複数の指定辞書情報の表示レイアウト（辞書情報の表示のオン／オフや表示位置、表示サイズ）が設定されるので、複数の見出し語の辞書情報を分かり易く並べて表示することができる。
【００５３】
また、図４のステップＳ１３，Ｓ１７や、図５等に示したように、表示された見出し語に対する同義語がジャンプ対象単語として指定されてジャンプ検索が行われた場合と、表示された見出し語に対する対義語がジャンプ対象単語として指定されてジャンプ検索が行われた場合とで、ジャンプ元の辞書情報と、ジャンプ先の辞書情報との２つの辞書情報の表示レイアウトが変更されるので、２つの辞書情報の関係が同義語の関係であるのか、対義語の関係であるのかを把握し易くすることができる。
【００５４】
＜変形例＞
続いて、上記の実施形態の変形例について説明する。なお、上記実施形態と同様の構成要素には同一の符号を付し、その説明を省略する。
【００５５】
図７は、互いに接続される端末装置１Ａとサーバ装置１Ｂとを備える辞書検索システム１００において、上記実施形態と同様の処理を実現する場合の機能構成を示すブロック図である。
【００５６】
この図に示すように、サーバ装置１Ｂには、通信部５０Ｂと、ＣＰＵ２０Ｂと、記憶部８０Ｂとが備えられる。通信部５０Ｂは、ネットワークなどを介して情報を端末装置１Ａと送受信する。ＣＰＵ２０Ｂは、入力される指示に応じて所定のプログラムに基づいた処理を実行し、各機能部への指示やデータの転送等を行い、サーバ装置１Ｂを統括的に制御するようになっている。記憶部８０Ｂには、コンテンツ群８２と、ヒストリテーブル８４０等とが記憶されている。
【００５７】
また、端末装置１Ａには、通信部５０Ａと、記憶部８０Ａとが備えられる。通信部５０Ａは、ネットワークなどを介して情報をサーバ装置１Ｂと送受信する。記憶部８０Ａには辞書検索プログラム８１Ａが記憶されている。この辞書検索プログラム８１Ａは、上述の実施形態と同様の辞書検索処理（図４参照）をＣＰＵ２０に実行させるようになっている。
【００５８】
より詳細には、この辞書検索プログラム８１Ａによって行われる辞書検索処理では、端末装置１ＡのＣＰＵ２０は、サーバ装置１Ｂのコンテンツ群８２と、ヒストリテーブル８４０とを用いるようになっている。
【００５９】
但し、ステップＳ３の辞書検索処理やステップＳ１３、Ｓ１７のジャンプ検索処理は端末装置１ＡのＣＰＵ２０ではなく、サーバ装置１ＢのＣＰＵ２０Ｂが行って、検索結果を端末装置１Ａに送信しても良い。
また、ヒストリテーブル８４０はサーバ装置１Ｂではなく、端末装置１Ａに具備されても良く、この場合には、辞書検索処理において端末装置１ＡのＣＰＵ２０は、サーバ装置１Ｂのコンテンツ群８２のみを用いることとしても良い。
【００６０】
なお、本発明を適用可能な実施形態は、上述した実施形態や変形例に限定されることなく、本発明の趣旨を逸脱しない範囲で適宜変更可能である。
【００６１】
例えば、本発明に係る電子機器を電子辞書１として説明したが、本発明が適用可能なものは、このような製品に限定されず、携帯電話、パソコン、ＰＤＡ（Ｐｅｒｓｏｎａｌ  Ｄｉｇｉｔａｌ  Ａｓｓｉｓｔａｎｔ）、ゲーム機などの電子機器全般に適用可能である。また、本発明に係る辞書検索プログラム８１は、電子辞書１に対して着脱可能な外部情報記憶媒体に記憶されることとしてもよい。
【００６２】
以上、本発明のいくつかの実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
見出し語と、当該見出し語の説明情報とを対応付けた辞書情報が複数記憶されている辞書記憶手段と、
ユーザ操作に基づいて、前記辞書記憶手段に記憶された何れかの辞書情報を指定辞書情報として指定する辞書情報指定手段と、
前記辞書情報指定手段により指定された複数の前記指定辞書情報の表示レイアウトをユーザ操作に基づいて設定する表示レイアウト設定手段と、
前記表示レイアウト設定手段により設定された表示レイアウトで前記指定辞書情報を外部表示装置に表示させる表示制御手段と、
を備えることを特徴とする辞書機能を備えた電子機器。
＜請求項２＞
前記表示レイアウト設定手段は、
ユーザ操作に基づいて、各指定辞書情報の表示のオン／オフを切り替えることを特徴とする請求項１記載の辞書機能を備えた電子機器。
＜請求項３＞
前記表示レイアウト設定手段は、
ユーザ操作に基づいて、複数の前記指定辞書情報の表示位置を変更することを特徴とする請求項１または２記載の辞書機能を備えた電子機器。
＜請求項４＞
前記表示レイアウト設定手段は、
ユーザ操作に基づいて、複数の前記指定辞書情報の表示サイズを変更することを特徴とする請求項１〜３の何れか一項に記載の辞書機能を備えた電子機器。
＜請求項５＞
表示手段と、
ユーザ操作に基づいて検索文字列を入力する入力手段と、
前記検索文字列に対応する見出し語の辞書情報を前記辞書記憶手段から読み出して前記表示手段に表示させる検索手段と、
前記検索手段により検索された見出し語を検索履歴として記憶する検索履歴記憶手段と
を備え、
前記辞書情報指定手段は、
前記検索履歴記憶手段に記憶された見出し語に対応する辞書情報を前記指定辞書情報として指定することを特徴とする請求項１〜４の何れか一項に記載の辞書機能を備えた電子機器。
＜請求項６＞
前記検索手段により表示された辞書情報のテキストに含まれる単語のうち、当該辞書情報の見出し語に対する同義語または対義語を、ユーザ操作に基づきジャンプ対象単語として指定する単語指定手段と、
前記ジャンプ対象単語に対応する見出し語の辞書情報を前記辞書記憶手段から読み出し、この辞書情報と、当該ジャンプ対象単語の指定時に表示されていた辞書情報とを前記外部表示装置に並べて表示させるジャンプ検索手段と、
を備え、
前記ジャンプ検索手段は、
前記検索手段により表示された説明情報の見出し語に対する同義語が前記ジャンプ対象単語として指定された場合と、
前記検索手段により表示された説明情報の見出し語に対する対義語が前記ジャンプ対象単語として指定された場合とで、２つの辞書情報の表示レイアウトを変更することを特徴とする請求項５記載の辞書機能を備えた電子機器。
＜請求項７＞
見出し語と、当該見出し語の説明情報とを対応付けた辞書情報が複数記憶されている辞書記憶手段を備えるコンピュータに、
ユーザ操作に基づいて、前記辞書記憶手段に記憶された何れかの辞書情報を指定辞書情報として指定する辞書情報指定機能と、
前記辞書情報指定機能により指定された複数の前記指定辞書情報の表示レイアウトをユーザ操作に基づいて設定する表示レイアウト設定機能と、
前記表示レイアウト設定機能により設定された表示レイアウトで前記指定辞書情報を外部表示装置に表示させる表示制御機能と、
を実現させることを特徴とする辞書検索プログラム。
＜請求項８＞
互いに接続された端末装置とサーバ装置とを備える辞書検索システムであって、
前記サーバ装置は、
見出し語と、当該見出し語の説明情報とを対応付けた辞書情報が複数記憶されている辞書記憶手段を備え、
前記端末装置は、
ユーザ操作に基づいて、前記辞書記憶手段に記憶された何れかの辞書情報を指定辞書情報として指定する辞書情報指定手段と、
前記辞書情報指定手段により指定された複数の前記指定辞書情報の表示レイアウトをユーザ操作に基づいて設定する表示レイアウト設定手段と、
前記表示レイアウト設定手段により設定された表示レイアウトで前記指定辞書情報を外部表示装置に表示させる表示制御手段と、
を備えることを特徴とする辞書検索システム。
【符号の説明】
【００６３】
１          電子辞書
２０        ＣＰＵ
８１        辞書検索プログラム
８２０      辞書データベース
【図１】
2015028678.tif 000003
【図２】
2015028678.tif 000004
【図３】
2015028678.tif 000005
【図４】
2015028678.tif 000006
【図５】
2015028678.tif 000007
【図６】
2015028678.tif 000008
【図７】
2015028678.tif 000009